(57)【要約】【課題】操作性低下を軽減し、ＤＣバランスをとることが可能な電気泳動表示装置の駆動方法等を提供する。【解決手段】（ａ）部分駆動方式を用いて、第１の画像を前記第１色で前記表示部に表示させること（Ｓ１０）と、（ｂ）前記部分駆動方式を用いて、前記第１の画像の背景を前記第１色で前記表示部に表示させること（Ｓ３０）と、（ｃ）前記（ｂ）の後に、前記部分駆動方式を用いて、第２の画像の背景を前記第２色で前記表示部に表示させること（Ｓ５０）と、（ｄ）前記部分駆動方式を用いて、前記第２の画像を前記第２色で前記表示部に表示させること（Ｓ７０）と、（ｅ）前記（ａ）の期間に前記操作部が前記指示入力を受け付けた場合に（Ｓ２０Ｙ）、（ｅ１）前記（ｂ）を実行すること（Ｓ１１０）と、（ｅ２）前記（ｅ１）の後に、全面駆動方式を用いて、第３の画像を前記表示部に表示させること（Ｓ１２０）と、を含む。【選択図】図１１
2014191213.tif 000002
【特許請求の範囲】
【請求項１】
電気泳動表示装置の駆動方法であって、
前記電気泳動表示装置は、
指示入力を受け付ける操作部と、
少なくとも第１色および第２色を表示する表示部と、
を含み、
前記表示部は、
共通電極と、
前記共通電極に向かい合う複数の画素電極と、
前記共通電極と前記複数の画素電極との間に配置された電気泳動表示層と、
を有し、
（ａ）部分駆動方式を用いて、第１の画像を前記第１色で前記表示部に表示させることと、
（ｂ）前記部分駆動方式を用いて、前記第１の画像の背景を前記第１色で前記表示部に表示させることと、
（ｃ）前記（ｂ）の後に、前記部分駆動方式を用いて、第２の画像の背景を前記第２色で前記表示部に表示させることと、
（ｄ）前記部分駆動方式を用いて、前記第２の画像を前記第２色で前記表示部に表示させることと、
（ｅ）前記（ａ）の期間に前記操作部が前記指示入力を受け付けた場合に、
（ｅ１）前記（ｂ）を実行することと、
（ｅ２）前記（ｅ１）の後に、全面駆動方式を用いて、第３の画像を前記表示部に表示させることと、
を含む、電気泳動表示装置の駆動方法。
【請求項２】
電気泳動表示装置の駆動方法であって、
前記電気泳動表示装置は、
指示入力を受け付ける操作部と、
少なくとも第１色および第２色を表示する表示部と、
を含み、
前記表示部は、
共通電極と、
前記共通電極に向かい合う複数の画素電極と、
前記共通電極と前記複数の画素電極との間に配置された電気泳動表示層と、
を有し、
（ａ）部分駆動方式を用いて、第１の画像を前記第１色で前記表示部に表示させることと、
（ｂ）前記部分駆動方式を用いて、前記第１の画像の背景を前記第１色で前記表示部に表示させることと、
（ｃ）前記（ｂ）の後に、前記部分駆動方式を用いて、第２の画像の背景を前記第２色で前記表示部に表示させることと、
（ｄ）前記部分駆動方式を用いて、前記第２の画像を前記第２色で前記表示部に表示させることと、
（ｆ）前記（ｃ）の期間に前記操作部が前記指示入力を受け付けた場合に、
（ｆ１）前記（ｄ）を実行することと、
（ｆ２）前記（ｆ１）の後に、全面駆動方式を用いて、第３の画像を前記表示部に表示させることと、
を含む、電気泳動表示装置の駆動方法。
【請求項３】
請求項１または請求項２に記載の電気泳動表示装置の駆動方法において、さらに、
（ｇ）前記第３の画像を前記表示部に表示させた後に、前記全面駆動方式を用いて、単一色画像を前記表示部に表示させること、
を含む、電気泳動表示装置の駆動方法。
【請求項４】
請求項３に記載の電気泳動表示装置の駆動方法において、
前記（ｇ）は、
前記（ａ）の期間に前記操作部が前記指示入力を受け取った場合には、前記第１色の単一色画像を前記表示部に表示させ、
前記（ｃ）の期間に前記操作部が前記指示入力を受け取った場合には、前記第２色の単一色画像を前記表示部に表示させる、電気泳動表示装置の駆動方法。
【請求項５】
請求項１に記載の電気泳動表示装置の駆動方法において、
前記（ｅ２）は、
（ｅ２−１）前記（ｅ１）の後に、前記第２の画像として前記第２色の単一色画像を用いて前記（ｄ）を実行することと、
（ｅ２−２）前記（ｅ２−１）の後に、前記第３の画像を前記表示部に表示させることと、を含む、電気泳動表示装置の駆動方法。
【発明の詳細な説明】
【技術分野】
【０００１】
本発明は、電気泳動表示装置の駆動方法等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、反射型ディスプレイであるゆえの低消費電力などの優れた利点がある。
【０００４】
一方で、特許文献１に記載されているように、電気泳動表示装置において電極間に印加される電界の時間平均がほぼゼロでなければ、装置の動作寿命が短くなる可能性がある。つまり、電気泳動表示装置の長期信頼性を確保するためには、ＤＣバランスがとられること、すなわち印加される電界の時間平均がほぼゼロになることが必要になる。
【先行技術文献】
【特許文献】
【０００５】
【特許文献１】特表２００５−５３０２０１号公報
【発明の概要】
【発明が解決しようとする課題】
【０００６】
ここで、電気泳動表示装置は、例えば１フレームの画像の画素に対応する画素電極と透明な共通電極とを含み、これらの電極のそれぞれに電圧を印加して、発生した電界によって電気泳動粒子を移動させることで表示部に表示される画像を更新する。電気泳動表示装置は、１フレームの画像の画素の全て、すなわち表示部の全画素の表示を更新する全面駆動方式により画像を表示することもできるし、書き換え対象である一部の画素を更新することも可能な部分駆動方式により画像を表示することもできる。
【０００７】
書き換えによって１フレームの画像の一部だけが変化する場合であっても、全面駆動方式では書き換えに要する時間を短縮することは難しい。例えば、電子時計では１フレームの画像の一部である時刻表示部分が主に変化する。この場合、部分駆動方式であれば、全面駆動方式よりも書き換えに要する時間を短縮できる。そのため、例えば電子時計に用いられる電気泳動表示装置は、部分駆動方式で画像を表示することが多い。しかし、部分駆動方式によって表示部の特定の領域を繰り返し書き換えると、表示部全体のＤＣバランスをとることができない。そのため時間の経過に伴って当該領域のコントラスト比が低下することがある。書き換え時間の短縮とＤＣバランスを両立するために、部分駆動方式を用いてＤＣバランスをとる表示方法が考えられている（詳細は後述する）。
【０００８】
一方、例えば電子時計などで、ユーザーがボタン等を用いて設定や表示の変更をする場合がある。このとき、上記部分駆動方式でＤＣバランスをとるための表示を行うと、操作性が低下する可能性がある。
【０００９】
しかし、操作性向上のためにＤＣバランスをとるための表示を省略して、ユーザーの操作（例えばボタンを押す動作）に応じて通常の表示から別の画像に表示を直接切り換えると、ＤＣバランスがとれずに、装置の動作寿命が短くなる可能性がある。
【００１０】
本発明はこのような問題点に鑑みてなされたものである。本発明のいくつかの態様によれば、電気泳動表示装置の操作性低下を軽減し、かつ、ＤＣバランスをとることが可能な電気泳動表示装置の駆動方法等を提供することができる。
【課題を解決するための手段】
【００１１】
［適用例１］
本適用例に係る電気泳動表示装置の駆動方法は、前記電気泳動表示装置が、指示入力を受け付ける操作部と、少なくとも第１色および第２色を表示する表示部と、を含み、前記表示部は、共通電極と、前記共通電極に向かい合う複数の画素電極と、前記共通電極と前記複数の画素電極との間に配置された電気泳動表示層と、を有し、（ａ）部分駆動方式を用いて、第１の画像を前記第１色で前記表示部に表示させることと、（ｂ）前記部分駆動方式を用いて、前記第１の画像の背景を前記第１色で前記表示部に表示させることと、（ｃ）前記（ｂ）の後に、前記部分駆動方式を用いて、第２の画像の背景を前記第２色で前記表示部に表示させることと、（ｄ）前記部分駆動方式を用いて、前記第２の画像を前記第２色で前記表示部に表示させることと、（ｅ）前記（ａ）の期間に前記操作部が前記指示入力を受け付けた場合に、（ｅ１）前記（ｂ）を実行することと、（ｅ２）前記（ｅ１）の後に、全面駆動方式を用いて、第３の画像を前記表示部に表示させることと、を含む。
【００１２】
［適用例２］
本適用例に係る電気泳動表示装置の駆動方法は、前記電気泳動表示装置が、指示入力を受け付ける操作部と、少なくとも第１色および第２色を表示する表示部と、を含み、前記表示部は、共通電極と、前記共通電極に向かい合う複数の画素電極と、前記共通電極と前記複数の画素電極との間に配置された電気泳動表示層と、を有し、（ａ）部分駆動方式を用いて、第１の画像を前記第１色で前記表示部に表示させることと、（ｂ）前記部分駆動方式を用いて、前記第１の画像の背景を前記第１色で前記表示部に表示させることと、（ｃ）前記（ｂ）の後に、前記部分駆動方式を用いて、第２の画像の背景を前記第２色で前記表示部に表示させることと、（ｄ）前記部分駆動方式を用いて、前記第２の画像を前記第２色で前記表示部に表示させることと、（ｆ）前記（ｃ）の期間に前記操作部が前記指示入力を受け付けた場合に、（ｆ１）前記（ｄ）を実行することと、（ｆ２）前記（ｆ１）の後に、全面駆動方式を用いて、第３の画像を前記表示部に表示させることと、を含む。
【００１３】
本適用例に係る電気泳動表示装置の駆動方法は、部分駆動方式を用いて、４つの工程を順に実行する。４つの工程は、第１の画像を第１色で表示部に表示させること（工程（ａ））と、第１の画像の背景を第１色で表示部に表示させること（工程（ｂ））と、第２の画像の背景を第２色で表示部に表示させること（工程（ｃ））と、第２の画像を第２色で表示部に表示させること（工程（ｄ））である。本適用例に係る電気泳動表示装置の駆動方法では、４つの工程を実行することで、ＤＣバランスをとることができる。
【００１４】
そして、本適用例に係る電気泳動表示装置の駆動方法では、操作部が指示入力を受け付けると、所定の工程を経て、全面駆動方式を用いて第３の画像を表示部に表示させる。操作部が前記の工程（ａ）の期間に指示入力を受け付けた場合には、前記の工程（ｂ）を実行し（工程（ｅ１））、その後に第３の画像を表示させる（工程（ｅ２））。また、操作部が前記の工程（ｃ）の期間に指示入力を受け付けた場合、前記の工程（ｄ）を実行し（工程（ｆ１））、その後に第３の画像を表示させる（工程（ｆ２））。つまり、部分駆動方式を用いて表示部の全画素を第１色または第２色で表示させてから（工程（ｅ１）、工程（ｆ１））、全面駆動方式に移行する。
【００１５】
このように、本適用例に係る電気泳動表示装置の駆動方法では、全面駆動方式に移行する前に、部分駆動方式で表示部の全画素について電界の時間平均が同じになるようにする。そのため、全面駆動方式から部分駆動方式へと戻った場合に、再び工程（ａ）〜（ｄ）を実行することでＤＣバランスをとることが可能になる。また、例えば、操作部が指示入力を受け付けた場合に必ず工程（ａ）〜（ｄ）が完結してから第３の画像を表示すると、ユーザーにとっては所望の画像以外の画像が表示されたり、画像が消失したように見えたりする。そのため操作性が良くないとユーザーが感じる可能性がある。全面駆動方式は表示部の全画素を更新するので、部分駆動方式よりも少ない工程でＤＣバランスをとることができる。したがって、第３の画像を全面駆動方式で表示することで、ユーザーにとって不要な画像の表示を少なくしできるので、操作性の低下を軽減できる。
【００１６】
ここで、例えば工程（ａ）で第１の画像を第１色で表示部に表示させた状態から、直ちに第３の画像を表示させる（工程（ｅ２）、工程（ｆ２））ことも可能である。しかし、この場合には第１の画像を第１色で表示していた画素と、第１の画像の背景を第２色で表示していた画素とで、電界の時間平均が異なっている。そして、全面駆動方式から部分駆動方式へと戻った場合に、異なる内容の第１の画像（または第２の画像）が表示されると、ＤＣバランスがとれなくなる。本適用例に係る電気泳動表示装置の駆動方法は、表示部の全画素を第１色または第２色で表示させてから（工程（ｅ１）、工程（ｆ１））、全面駆動方式に移行するので、ＤＣバランスをとることが可能である。本適用例に係る電気泳動表示装置の駆動方法は、工程（ｅ）と工程（ｆ）の両方を含んでいてもよいし、一方だけを含んでいてもよい。
【００１７】
ここで、第１色とは例えば黒色であり、第２色とは例えば白色である。第1色が白色、第２色が黒色であってもよい。第１の画像、第２の画像は表示部に表示される画像であって、文字、数字、文章、図形、記号、模様等のいずれかまたはこれらの組み合わせであってもよい。
【００１８】
また、第１の画像、第２の画像は、工程（ａ）、工程（ｃ）で表示される度に異なる文字、数字、文章、図形、記号、模様等に変化してもよい。第１の画像の背景、第２の画像の背景は、表示部におけるそれぞれ第１の画像以外の部分、第２の画像以外の部分をいう。
【００１９】
例えば、黒色で文字、数字、文章、図形、記号、模様等のいずれかまたはこれらの組み合わせを表示したい場合、第１の画像、第２の画像は表示部全体における黒色の部分であり、第１の画像の背景、第２の画像の背景は表示部全体における白色の部分である。逆に、白色で文字、数字、文章、図形、記号、模様等のいずれかまたはこれらの組み合わせを表示したい場合、第１の画像、第２の画像は表示部全体における白色の部分であり、第１の画像の背景、第２の画像の背景は表示部全体における黒色の部分である。
【００２０】
なお、部分駆動方式とは、共通電極に第１の電位と第２の電位とを繰り返す駆動パルス信号に基づく電圧を印加することと、書き換え対象の画素の画素電極に駆動パルス信号の反転信号に基づく電圧を印加することと、書き換え対象でない画素の画素電極に駆動パルス信号に基づく電圧を印加することと、を含む駆動方式である。書き換え対象の画素とは、例えば黒色を表示する工程においては、白色を表示していて黒色へと変化させる画素のことである。そして、書き換え対象でない画素とは、書き換え対象の画素以外の画素のことである。
【００２１】
また、全面駆動方式とは、共通電極に駆動パルス信号に基づく電圧を印加することと、表示部の全画素のそれぞれに第１の電位または第２の電位を印加することと、を含む駆動方式である。
【００２２】
操作部が受け付ける指示入力は、第３の画像を表示することを指示する入力操作である。指示入力は、ユーザーが操作部（例えばボタン等）を操作する（例えば所定回数押す）ことであってもよいし、例えば電気泳動表示装置を制御するＣＰＵ(Central Processing Unit)が、表示モードを切り換えさせるのに出力する信号であってもよい。第３の画像も表示部に表示される画像であって、文字、数字、文章、図形、記号、模様等のいずれかまたはこれらの組み合わせであってもよい。
【００２３】
例えば電気泳動表示装置が時刻等を表示する場合、第１の画像および第２の画像は時分を表す時刻表示であり、第３の画像は日付、曜日、時刻を合わせるときに使用される設定用の画像であってもよい。
【００２４】
また、工程（ａ）の期間とは、第１の画像が第１色で表示されている、工程（ｂ）が実行されるまでの期間である。また、工程（ｃ）の期間とは、第２の画像の背景が第２色で表示されている（すなわち、第２の画像が第１色で表示されている）、工程（ｄ）が実行されるまでの期間である。つまり、ある工程の期間とは、その工程で実行された表示部の表示状態が継続しており、表示状態を変化させる次の工程が実行されるまでの期間を意味する。
【００２５】
［適用例３］
上記適用例に係る電気泳動表示装置の駆動方法において、さらに、（ｇ）前記第３の画像を前記表示部に表示させた後に、前記全面駆動方式を用いて、単一色画像を前記表示部に表示させること、を含んでもよい。
【００２６】
［適用例４］
上記適用例に係る電気泳動表示装置の駆動方法において、前記（ｇ）は、前記（ａ）の期間に前記操作部が前記指示入力を受け取った場合には、前記第１色の単一色画像を前記表示部に表示させ、前記（ｃ）の期間に前記操作部が前記指示入力を受け取った場合には、前記第２色の単一色画像を前記表示部に表示させてもよい。
【００２７】
本適用例に係る電気泳動表示装置の駆動方法は、第３の画像を表示部に表示（工程（ｅ２）、工程（ｆ２））させた後に、全面駆動方式を用いて、単一色画像を表示部に表示させる（工程（ｇ））。ここで、単一色画像とは、表示部の全画素を第１色で表示する画像、または表示部の全画素を第２色で表示する画像である。
【００２８】
このとき、前記の工程（ｇ）において、（ａ）の期間に操作部が指示入力を受け取った場合には第１色の単一色画像を表示部に表示させて、（ｃ）の期間に操作部が指示入力を受け取った場合には第２色の単一色画像を表示部に表示させてもよい。
【００２９】
本適用例に係る電気泳動表示装置の駆動方法は、表示部の全画素を第１色または第２色にしてから、全面駆動方式から部分駆動方式へと移行する。ここで、本適用例に係る電気泳動表示装置の駆動方法では、部分駆動方式から全面駆動方式へと移行する場合に、表示部の全画素を第１色または第２色で表示させている（工程（ｅ１）、工程（ｆ１））。そのため、全面駆動方式から部分駆動方式に復帰する場合に、部分駆動方式を用いる工程（ａ）〜（ｄ）を継続して（第３の画像を表示する前に実行した工程の次の工程から）実行することが可能になる。すなわち、全面駆動方式の前後で工程（ａ）〜（ｄ）の４つの工程を連続させることができるので、ＤＣバランスをとることができる。
【００３０】
ここで、全面駆動方式を用いた第３の画像の表示、および単一色画像の表示に対して、それぞれ反転表示を行うことで、全面駆動方式を用いた表示においてもＤＣバランスをとることができる。このとき、本適用例に係る電気泳動表示装置の駆動方法による表示の全体でＤＣバランスをとることが可能である。
【００３１】
［適用例５］
上記適用例に係る電気泳動表示装置の駆動方法において、前記（ｅ２）は、（ｅ２−１）前記（ｅ１）の後に、前記第２の画像として前記第２色の単一色画像を用いて前記（ｄ）を実行することと、（ｅ２−２）前記（ｅ２−１）の後に、前記第３の画像を前記表示部に表示させることと、を含んでもよい。
【００３２】
本適用例に係る電気泳動表示装置の駆動方法は、前記の（ｅ１）の後に、第２の画像を第２色の単一色画像（表示部の全体を占める画像）とする工程（ｄ）を実行してから、第３の画像を表示部に表示させる。つまり、部分駆動方式で表示部の全画素を第２色で表示してから、第３の画像を表示部に表示させる。
【００３３】
このとき、部分駆動方式から全面駆動方式へと移行する前に、部分駆動方式を用いた表示におけるＤＣバランスがとられることになる。そのため、全面駆動方式から部分駆動方式に復帰する場合には、常に工程（ａ）から開始すればよく、制御を簡単にすることができる。
【図面の簡単な説明】
【００３４】
【図１】本実施形態における電気泳動表示装置のブロック図。
【図２】本実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式の波形図と反射率を例示する図。
【図５】図５（Ａ）〜図５（Ｄ）は部分駆動方式での表示例を示す図。
【図６】図６（Ａ）〜図６（Ｂ）は全面駆動方式の波形図と反射率を例示する図。
【図７】図７（Ａ）〜図７（Ｄ）は全面駆動方式での表示例を示す図。
【図８】図８（Ａ）〜図８（Ｌ）は工程（ａ）の期間にボタン操作があった場合の表示例を示す図。
【図９】図９（Ａ）〜図９（Ｋ）は工程（ａ）の期間にボタン操作があった場合の別の表示例を示す図。
【図１０】図１０（Ａ）〜図１０（Ｌ）は工程（ｃ）の期間にボタン操作があった場合の表示例を示す図。
【図１１】図８（Ａ）〜図８（Ｌ）に対応する本実施形態のフローチャート。
【図１２】図９（Ａ）〜図９（Ｋ）に対応する本実施形態のフローチャート。
【図１３】応用例の電子機器のブロック図。
【図１４】図１４（Ａ）は電子機器の一例である電子時計の図、図１４（Ｂ）は電子機器の一例である電子ペーパーの図。
【発明を実施するための形態】
【００３５】
１．電気泳動表示装置
本発明の実施形態（以下、本実施形態）について図１〜図１２を参照して説明する。本実施形態の電気泳動表示装置は、文字、数字、写真、模様、イラスト等の様々な画像を表示可能であるとする。
【００３６】
１．１．電気泳動表示装置の構成
図１は、本実施形態のアクティブマトリックス方式の電気泳動表示装置１０の構成を示す図である。
【００３７】
電気泳動表示装置１０は、表示制御回路６０、操作部６５、表示部３を含む。表示制御回路６０は、表示部３を制御する。表示制御回路６０は、走査線駆動回路６１、データ線駆動回路６２、コントローラー６３、共通電源変調回路６４、記憶部１６０を含む。
【００３８】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００３９】
記憶部１６０は、例えばＶＲＡＭ(Video Random Access Memory)と、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ（Static Random Access Memory）、ＤＲＡＭ(Dynamic Random Access Memory)等を含んでいてもよい。
【００４０】
操作部６５は、不図示の指示入力を受け取ると、表示する画像を切り換えるようにコントローラー６３に指示する。例えば、指示入力はユーザーが操作部６５（図１３参照）である操作ボタン１０１１（図１４参照）を押すことであってもよい。なお、指示入力は、ユーザーの操作で発生するものに限らず、例えば電気泳動表示装置１０を制御するＣＰＵ２（図１３参照）が、表示モードを切り換えさせる出力であってもよい。
【００４１】
表示部３には、走査線駆動回路６１から延びる複数の走査線６６と、データ線駆動回路６２から延びる複数のデータ線６８とが形成されており、これらの交差位置に対応して複数の画素４０が設けられている。
【００４２】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ（Thin Film Transistor）４８（図２参照）のオンタイミングを規定する選択信号を供給する。
【００４３】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４４】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続および切断（ハイインピーダンス化、Ｈｉ−Ｚ）を行う。
【００４５】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４６】
画素４０には、駆動用ＴＦＴ４８と、ラッチ回路７０と、スイッチ回路８０が設けられている。画素４０は、ラッチ回路７０により画像信号を電位として保持するＳＲＡＭ方式の構成をとる。
【００４７】
駆動用ＴＦＴ４８は、Ｎ−ＭＯＳ(Negative Channel Metal Oxide Semiconductor)トランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００４８】
スイッチ回路８０は、トランスミッションゲートＴＧ１、ＴＧ２からなり、ラッチ回路７０に記憶された画素データの信号レベルに応じて、画素電極３５（図３（Ｂ）、図３（Ｃ）参照）に信号を出力する。なお、Ｖａは、１つの画素４０の画素電極３５へ供給される電位（信号）を意味する。
【００４９】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極３５に対して供給する電位（信号）を制御することが可能である。
【００５０】
１．３．表示方式
本実施形態の電気泳動表示装置１０は、二粒子系マイクロカプセル型の電気泳動方式であるとする。分散液は透明、電気泳動粒子は白色および黒色のものであるとすると、白色および黒色の２色を基本色として少なくとも２色を表示できる。ここでは、電気泳動表示装置１０は、基本色として黒色と白色とを表示可能であるとして説明する。そして、黒色を表示している画素を白色で表示すること、または白色を表示している画素を黒色で表示することを反転と表現する。また、本明細書においてある物が透明であるとは、当該物を通して視認した場合に、電気泳動粒子の色が判別できることを意味する。
【００５１】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０には、例えば分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電しているとする。
【００５２】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、表示部の画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００５３】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。したがって、共通電極３７と画素電極３５とは向かい合っている。なお、共通電極３７は透明電極である。共通電極３７は、画素電極３５と異なり全画素に共通の電極であり、電位Ｖｃｏｍが供給される。
【００５４】
共通電極層３７０と駆動電極層３５０との間に設けられた電気泳動表示層３６０に電気泳動素子１３２が配置されており、電気泳動表示層３６０が表示領域となる。共通電極３７と画素電極３５（例えば、３５Ａ、３５Ｂ）との間の電位差に応じて、画素毎に所望の表示色を表示させることができる。
【００５５】
図３（Ｂ）では、共通電極３７側の電位Ｖｃｏｍが画素４０Ａの画素電極３５Ａの電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５６】
図３（Ｃ）では、共通電極３７側の電位Ｖｃｏｍが画素４０Ａの画素電極３５Ａの電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに（表示の書き換えに応じて）電位が変化する。以下では、電位Ｖａ、Ｖｂ、Ｖｃｏｍを与える信号をパルス信号という。そして、特に共通電極３７へのパルス信号を駆動パルス信号という。
【００５７】
ここで、図３（Ｂ）の後に、図３（Ｃ）の状態に変化したとする。このとき、画素４０Ａは白色の後に黒色が表示されており、印加電界の方向が逆向きに変化している。画素４０Ａについては、印加電界が図３（Ｂ）と図３（Ｃ）とで対称的でありＤＣバランスがとられている。一方、画素４０Ｂは白色だけが表示されており、印加電界が対称的でなく、ＤＣバランスがとられていない。電気泳動表示装置の長期信頼性を確保するためには、この例の画素４０Ａのように、反転表示を行う必要がある。
【００５８】
１．４．駆動方式
まず、表示制御回路６０が表示部に画像を表示する制御を行うときの駆動方式について図４（Ａ）〜図７（Ｄ）を参照して説明する。
【００５９】
１．４．１．部分駆動方式
図４（Ａ）は部分駆動方式の波形図である。電気泳動表示装置では、応答速度を速めるために、表示部の全体を描画するのではなく、書き換え対象である一部を描画する場合がある。部分駆動方式によって、書き換え対象である一部の描画ができる。なお、図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００６０】
図４（Ａ）のＶｃｏｍは、共通電極３７への駆動パルス信号の例を示す。ここでのＶｃｏｍは、あるパルス幅Ｔ１（以下、単にＴ１とする）で第１の電位を共通電極３７に印加するパルスの後に、Ｔ１よりも短いパルス幅Ｔ２（以下、単にＴ２とする）で第１の電位とは異なる第２の電位を共通電極３７に印加するパルス（逆電位駆動パルス）が続き、それが繰り返される。つまり、共通電極３７には駆動パルス信号に基づく電圧が印加される。ただし、図４（Ａ）のように駆動停止の直前では例外的に第１の電位を共通電極３７に印加して終了する。パルス幅の短い逆電位駆動パルスにより、部分書き換えの際の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００６１】
この例では、画素４０Ａの画素電極３５Ａに印加される電位Ｖａを与えるパルス信号は駆動パルス信号の反転信号である。また、画素４０Ｂの画素電極３５Ｂに印加される電位Ｖｂを与えるパルス信号は駆動パルス信号と同じ信号（正転信号）である。つまり、画素電極３５Ａ、画素電極３５Ｂには駆動パルス信号の反転信号、駆動パルス信号に基づく電圧が印加される。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色から黒色へと書き換えられる。一方、画素４０Ｂは、共通電極３７と画素電極３５Ｂとの間に電界を生じないため書き換えが行われずに黒色表示を続ける。
【００６２】
図４（Ｂ）は、図４（Ａ）の例による画素４０Ａ、画素４０Ｂの色（反射率）の変化を示す図である。縦軸が反射率、横軸が時間、Ｒ１が黒色の反射率、Ｒ２が白色の反射率を表す。まず、画素４０Ａについて説明する。画素４０Ａ（実線で表示）は最初に黒色（Ｒ１）で表示されているものとする。「白色表示」のＴ１に対応する区間では、画素電極３５Ａの電位はＶＬで共通電極３７の電位はＶＨであるため白色（Ｒ２）表示に近づく。しかし、「白色表示」のＴ２に対応する区間では、画素電極３５Ａの電位はＶＨで共通電極３７の電位はＶＬであるため黒色（Ｒ１）表示に近づく。しかし、Ｔ１＞Ｔ２であるため、画素４０Ａは「白色表示」の期間の最後には白色（Ｒ２）で表示される。そして、画素４０ＡはＶｃｏｍの極性が反転した「黒色表示」の期間の最後には同様にして黒色（Ｒ１）で表示される。
【００６３】
一方、画素４０Ｂ（太破線で表示）は、常にＶｃｏｍと同じ信号が画素電極３５Ｂに供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換えの際の駆動時間を短縮することができる。表示部の全画素を、部分駆動方式で描画することも可能である。
【００６４】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００６５】
１．４．２．部分駆動方式での表示例
図５（Ａ）〜図５（Ｄ）は部分駆動方式で描画した場合の表示例を表す。図５（Ａ）〜図５（Ｄ）のそれぞれの左図は表示部３の表示画像を表し、右図は表示部３の表示を行うために駆動される画素を濃灰色（ダークグレー）で表した駆動画素１３を表す。駆動画素１３の下部には、全面駆動方式と区別するための部分駆動方式の文字と、駆動画素１３の濃灰色（ダークグレー）で表された画素が黒色表示されるのか、白色表示されるのかの区別が示されている。
【００６６】
また、図５（Ａ）〜図５（Ｄ）の工程名は、後述するフローチャートの工程の記号（ａ）〜（ｄ）に対応するものである。工程（ａ）は第１の画像を第１色で表示し、工程（ｂ）は第１の画像の背景を第１色で表示し、工程（ｃ）は第２の画像の背景を第２色で表示し、工程（ｄ）は第２の画像を第２色で表示するものである。
【００６７】
図５（Ａ）は、工程（ａ）を実行したときの表示部３の表示画像と、そのための駆動画素１３を表す。工程（ａ）では、部分駆動方式によって、表示部３に時刻表示１０：０５（第１の画像に対応）を黒色（第１色に対応）で表示する。なお、工程（ａ）の実行前は、表示部３は全面が白色の状態であったとする。
【００６８】
図５（Ｂ）は、工程（ｂ）を実行したときの表示部３の表示画像と、そのための駆動画素１３を表す。工程（ｂ）では、部分駆動方式によって、表示部３に時刻表示１０：０５以外の部分（第１の画像の背景に対応）を黒色（第１色に対応）で表示する。このとき、表示部３は、全面が黒色の状態になる。
【００６９】
図５（Ｃ）は、工程（ｃ）を実行したときの表示部３の表示画像と、そのための駆動画素１３を表す。工程（ｃ）では、部分駆動方式で、表示部３に時刻表示１０：０６以外の部分（第２の画像の背景に対応）を白色（第２色に対応）で表示する。このとき、表示部３には、黒色で時刻表示１０：０６が表示されることになる。
【００７０】
図５（Ｄ）は、工程（ｄ）を実行したときの表示部３の表示画像と、そのための駆動画素１３を表す。工程（ｄ）では、部分駆動方式で、時刻表示１０：０６（第２の画像に対応）を白色（第２色に対応）で表示する。このとき、表示部３は、全面が白色の状態になる。
【００７１】
ここで、工程（ａ）と工程（ｂ）の駆動画素１３を合わせると表示部全体の画素を黒色へと変化させている（図５（Ａ）〜図５（Ｂ）のｐ１）。一方、工程（ｃ）と工程（ｄ）の駆動画素１３を合わせると表示部全体の画素を白色へと変化させている（図５（Ｃ）〜図５（Ｄ）のｑ１）。よって、これらの４つの工程で、表示部全体のＤＣバランスがとられている。
【００７２】
このように、部分駆動方式を用いて４つの工程（ａ）〜（ｄ）を実行することでＤＣバランスをとり、長期信頼性を確保できる。
【００７３】
１．４．３．全面駆動方式
ここで、図５（Ａ）〜図５（Ｄ）の例では、表示部３の一部である時刻表示だけが変化するため、部分駆動方式を用いて描画することが好ましい。表示部３の全部の画素を更新する全面駆動方式に比べて書き換えに要する時間を短縮することができる。また、４つの工程（ａ）〜（ｄ）を実行することでＤＣバランスをとることができる。
【００７４】
しかし、操作部６５（図１参照）が指示入力を受け付けて（例えばユーザーがボタン操作を行って）、表示部３の画像が時刻表示から設定画面（例えば日付の設定画面等）へと変化することがある。このとき、部分駆動方式を用いて設定画面を表示すると、ＤＣバランスをとるために反転表示（工程（ｃ））や単一色での表示（工程（ｂ）および工程（ｄ））が実行される。すると、ユーザーにとって工程（ａ）〜（ｄ）のそれぞれの切り換わりで画像がちらつくように見えることがある。部分駆動方式は、特に単一色での表示（工程（ｂ）および工程（ｄ））を含むため、設定画面が瞬間的に消失するように見える可能性がある。このとき、例えば設定画面に含まれるカーソルがユーザーに見えにくくなるおそれがあり、操作性が低下し得る。
【００７５】
そこで、設定画面を表示する場合には、表示部３の全部の画素を更新する全面駆動方式を用いることが好ましい。全面駆動方式でもＤＣバランスをとるためには設定画面の反転表示は必要である。しかし、設定画面を表示している途中で、単一色での表示を行う必要はない。そのため、工程（ｂ）や工程（ｄ）を行う場合と比較すると、操作性が改善する。
【００７６】
図６（Ａ）は全面駆動方式の波形図である。なお、図６（Ａ）のＶａ、Ｖｂ、ＶｃｏｍやＶＨ、ＶＬは、図３（Ａ）〜図４（Ｂ）と同じであり説明を省略する。
【００７７】
図６（Ａ）は、全面駆動方式によって、画素４０Ａを黒色から白色に、画素４０Ｂを白色から黒色に変化させる場合の波形図を示す。図６（Ａ）では表示色が変化する間、Ｖａはローレベル（ＶＬ）のままであり、Ｖｂはハイレベル（ＶＨ）のままである。そして、ＶｃｏｍはＶＬとＶＨとを等しい時間だけ繰り返している。つまり、図６（Ａ）のパルス幅Ｔ３（以下、単にＴ３とする）とパルス幅Ｔ４（以下、単にＴ４とする）とは等しい。
【００７８】
図６（Ｂ）は、図６（Ａ）の例による画素４０Ａ、画素４０Ｂの色（反射率）の変化を示す図である。縦軸が反射率、横軸が時間、Ｒ１が黒色の反射率、Ｒ２が白色の反射率を表す。画素４０Ａ（実線で表示）については、最初に黒色（Ｒ１）で表示されている。図６（Ｂ）のＴ３に対応する区間では、画素電極３５Ａの電位はＶＬで共通電極３７の電位はＶＨであるため白色（Ｒ２）表示に近づく。図６（Ｂ）のＴ４に対応する区間では、画素電極３５Ａと共通電極３７に電位差が生じないので色は維持される。そして、最終的には画素４０Ａは黒色（Ｒ１）から白色（Ｒ２）に変化する。
【００７９】
一方、画素４０Ｂ（太破線で表示）については、最初に白色（Ｒ２）で表示されている。図６（Ｂ）のＴ３に対応する区間では、画素電極３５Ｂと共通電極３７に電位差が生じないので色は維持される。図６（Ｂ）のＴ４に対応する区間では、画素電極３５Ｂの電位はＶＨで共通電極３７の電位はＶＬであるため黒色（Ｒ１）表示に近づく。そして、最終的には画素４０Ｂは白色（Ｒ２）から黒色（Ｒ１）に変化する。
【００８０】
なお、全面駆動方式では、表示部の全画素が描画の対象であり、表示部の一部の画素だけを書き換えることはできない。その名称の通り、表示部の全画素を描画することになる。
【００８１】
１．４．４．全面駆動方式での表示例
図７（Ａ）〜図７（Ｄ）は全面駆動方式での表示例であり、表示部３が示されている。また、部分駆動方式と区別するための全面駆動方式の文字と、日付の設定画面（第３の画像に対応）を表示していることを表す「画像」、または単一色画像を表示していることを表す「単一色」の文字が示されている。そして、正転表示であるか、ＤＣバランスをとるための反転表示であるかを区別するための「正転」、「反転」の文字も示されている。なお、部分駆動方式とは異なり、全面駆動方式では表示部３の全画素を駆動するので、駆動画素１３（図５（Ａ）〜図５（Ｄ）参照）は示していない。
【００８２】
また、図７（Ａ）〜図７（Ｄ）の工程名は、後述するフローチャートの工程の記号に対応するものである。工程（ｅ２）、工程（ｆ２）は日付の設定画面を表示し、工程（ｇ）は単一色画像を表示する。
【００８３】
図７（Ａ）は、工程（ｅ２）または工程（ｆ２）を実行したときの表示部３の表示画像を表す。工程（ｅ２）または工程（ｆ２）では、全面駆動方式によって、表示部３に日付の設定画面（第３の画像に対応）を表示する。この例では、日付の設定画面は、白色を背景として黒色で表示されるＭＡＲ２０の文字が表示された画面であり、カーソルが０の文字の部分に示されている。
【００８４】
図７（Ｂ）は、第１の中間工程を実行したときの表示部３の表示画像を表す。第１の中間工程では、全面駆動方式によって、図７（Ａ）で表示された日付の設定画面を反転表示する。なお、図７（Ａ）（工程（ｅ２）または工程（ｆ２））と図７（Ｂ）（第１の中間工程）とは、逆の順序であってもよい。すなわち、第１の中間工程の後に工程（ｅ２）または工程（ｆ２）を実行してもよい。
【００８５】
図７（Ｃ）は、第２の中間工程を実行したときの表示部３の表示画像を表す。第２の中間工程では、全面駆動方式によって、続く工程（ｇ）で表示する単一色画像を反転表示する。つまり、工程（ｇ）で白色の単一色画像を表示する場合には黒色の単一色画像を表示し、工程（ｇ）で黒色の単一色画像を表示する場合には白色の単一色画像を表示する。
【００８６】
図７（Ｄ）は、工程（ｇ）を実行したときの表示部３の表示画像を表す。工程（ｇ）では、全面駆動方式によって単一色画像を表示する。この例では、白色の単一色画像を表示している。
【００８７】
ここで、図７（Ａ）の表示部３の全体の画像と、図７（Ｂ）の表示部３の全体の画像とは、正転と反転の関係にあるからＤＣバランスがとれている（図７（Ａ）〜図７（Ｂ）のｐ２）。また、図７（Ｃ）の表示部３の全体の画像と、図７（Ｄ）の表示部３の全体の画像とは、正転と反転の関係にあるからＤＣバランスがとれている（図７（Ｃ）〜図７（Ｄ）のｑ２）。よって、これらの４つの工程の全体でもＤＣバランスがとられている。
【００８８】
このとき、日付の設定画面が表示されている途中で単一色画像が表示されることはない。そのため、部分駆動方式（図５（Ａ）〜図５（Ｄ）参照）で設定画面を表示する場合に生じ得る操作性の低下を回避できる。
【００８９】
そして、部分駆動方式から全面駆動方式への切り換え、または全面駆動方式から部分駆動方式への切り換えを、以下に説明するように実行することで、全体としてのＤＣバランスをとることができる。
【００９０】
１．４．５．部分駆動方式と全面駆動方式の切り換え（１）
図８（Ａ）〜図８（Ｌ）は工程（ａ）の期間にボタン操作があった場合の表示例を示す図である。なお、図１〜図７（Ｄ）と同じ要素には同じ符号を付しており説明を省略する。
【００９１】
表示制御回路６０は、図８（Ａ）のように、部分駆動方式によって、表示部３に時刻表示１０：０５（第１の画像に対応）を黒色（第１色に対応）で表示したとする。そして、工程（ｂ）が実行される前に、すなわち工程（ａ）の期間にユーザーがボタン操作を行って、設定画面（第３の画像に対応）の表示が要求されたとする。
【００９２】
表示制御回路６０は、工程（ｅ１）を実行する。工程（ｅ１）は、工程（ｂ）を実行すること、すなわち、部分駆動方式を用いて、時刻表示１０：０５の背景を黒色で表示部３に表示させることである。そのため、図８（Ｂ）のように、表示部３の全体が黒色で表示される。
【００９３】
そして、図８（Ｃ）〜図８（Ｆ）のように全面駆動方式で、設定画面（第３の画像に対応）の表示や単一色画像の表示がされる。図８（Ｃ）〜図８（Ｆ）は、それぞれ図７（Ａ）〜図７（Ｄ）に対応するが、図８（Ｆ）の工程（ｇ）では黒色の単一色画像を表示する。これは、部分駆動方式から全面駆動方式へと切り換えた場合（図８（Ｂ））の表示部３の表示色と、全面駆動方式から部分駆動方式へと切り換えた場合（図８（Ｆ））の表示部３の表示色とを一致させて、図８（Ａ）、図８（Ｂ）、図８（Ｇ）、図８（Ｈ）で示した４つの工程（ａ）〜（ｄ）を連続させるためである。
【００９４】
全面駆動方式へと切り換える前には、図８（Ａ）〜図８（Ｂ）のように工程（ａ）および工程（ｅ１）すなわち工程（ｂ）が実行されている。そこで、表示制御回路６０は、図８（Ｇ）〜図８（Ｈ）のように、時刻表示１０：０６を第２の画像とする、工程（ｃ）および工程（ｄ）を実行する。
【００９５】
その後、図８（Ｉ）〜図８（Ｌ）のように工程（ａ）〜工程（ｄ）が実行されている。図８（Ｉ）〜図８（Ｌ）は、それぞれ図５（Ａ）〜図５（Ｄ）に対応する。
【００９６】
ここで、グループｇｒ３として示されている全面駆動方式を用いた４つの工程（図８（Ｃ）〜図８（Ｆ）ではＤＣバランスがとられている。また、グループｇｒ２として示されている部分駆動方式を用いた４つの工程（図８（Ｉ）〜図８（Ｌ））でもＤＣバランスがとられている。
【００９７】
そして、設定画面の表示、消去の工程で分断されている、グループｇｒ１として示されている図８（Ａ）、図８（Ｂ）、図８（Ｇ）、図８（Ｈ）の工程も、それぞれ工程（ａ）、工程（ｂ）、工程（ｃ）、工程（ｄ）に対応するのでＤＣバランスがとられている。
【００９８】
よって、工程（ａ）の期間にユーザーがボタン操作を行って、設定画面の表示が要求された場合に、表示制御回路６０は図８（Ａ）〜図８（Ｌ）のように表示することで、電気泳動表示装置１０の操作性低下を軽減する全面駆動方式で設定画面の表示をしつつ、ＤＣバランスもとることができる。
【００９９】
１．４．６．部分駆動方式と全面駆動方式の切り換え（２）
図９（Ａ）〜図９（Ｋ）は工程（ａ）の期間にボタン操作があった場合の別の表示例を示す図である。なお、図８（Ａ）〜図８（Ｌ）と同じ要素には同じ符号を付しており説明を省略する。また、図８（Ａ）〜図８（Ｌ）を参照して説明した部分駆動方式と全面駆動方式の切り換えの手法を「第１の切り換え手法」とする。そして、今回の図９（Ａ）〜図９（Ｋ）を参照に説明する部分駆動方式と全面駆動方式の切り換えの手法を「第２の切り換え手法」とする。重複説明を避けるために、第１の切り換え手法とは異なる部分のみ説明する。
【０１００】
第２の切り換え手法は、第１の切り換え手法と工程（ｅ２）が異なっている。図９（Ｃ）〜図９（Ｄ）のように、第２の切り換え手法での工程（ｅ２）は、工程（ｅ１）の後に、部分駆動方式で表示部３の全体を白色で表示してから（図９（Ｃ））、全面駆動方式で設定画面を表示部３に表示させている（図９（Ｄ））。
【０１０１】
そして、第２の切り換え手法での工程（ｇ）では、白色の単一色画像を表示する（図９（Ｇ））。これは、部分駆動方式から全面駆動方式へと切り換えた場合（図９（Ｃ））の表示部３の表示色と、全面駆動方式から部分駆動方式へと切り換えた場合（図９（Ｇ））の表示部３の表示色とを合わせるためである。なお、第２の中間工程では、黒色の単一色画像を表示する（図９（Ｆ））。
【０１０２】
このとき、第１の切り換え手法の場合と異なり、全面駆動方式へと切り換える前の３つの工程、すなわちグループｇｒ１として示されている図９（Ａ）、図９（Ｂ）、図９（Ｃ）の工程でＤＣバランスがとられている。
【０１０３】
そして、第１の切り換え手法の場合と同様に、グループｇｒ２（図９（Ｈ）、図９（Ｉ）、図９（Ｊ）、図９（Ｋ））の工程、グループｇｒ３（図９（Ｄ）、図９（Ｅ）、図９（Ｆ）、図９（Ｇ））の工程でもそれぞれＤＣバランスがとられている。
【０１０４】
よって、工程（ａ）の期間にユーザーがボタン操作を行って、設定画面の表示が要求された場合に、表示制御回路６０は図９（Ａ）〜図９（Ｋ）のように表示させることで、電気泳動表示装置１０の操作性低下を軽減する全面駆動方式で設定画面の表示をしつつ、ＤＣバランスもとることができる。このとき、第１の切り換え手法よりも工程数を減らすことができ、制御を簡単にすることができる。
【０１０５】
なお、図９（Ｃ）の部分駆動方式で表示部３の全体を白色で表示すること（工程（ｅ２）の一部）は、第２の画像を白色の単一色画像（表示部の全体を占める画像）として工程（ｄ）を実行することに対応する。つまり、全く新しい制御が必要になるわけではなく、表示制御回路６０は工程（ｄ）を工程（ｅ２）の一部として実行すればよい。
【０１０６】
１．４．７．部分駆動方式と全面駆動方式の切り換え（３）
図１０（Ａ）〜図１０（Ｌ）は工程（ｃ）の期間にボタン操作があった場合の別の表示例を示す図である。なお、図８（Ａ）〜図９（Ｋ）と同じ要素には同じ符号を付しており説明を省略する。
【０１０７】
表示制御回路６０は、図１０（Ａ）のように部分駆動方式によって、表示部３に時刻表示１０：０５（第１の画像に対応）を黒色（第１色に対応）で表示する。次に図１０（Ｂ）のように、時刻表示１０：０５以外の部分（第１の画像の背景に対応）を黒色で表示することで表示部３の全体を黒色で表示する。そして、図１０（Ｃ）のように、時刻表示１０：０６以外の部分（第２の画像の背景に対応）を白色（第２色に対応）で表示する。そして、工程（ｄ）が実行される前に、すなわち工程（ｃ）の期間にユーザーがボタン操作を行って、設定画面（第３の画像に対応）の表示が要求されたとする。
【０１０８】
表示制御回路６０は、工程（ｆ１）を実行する。工程（ｆ１）は、工程（ｄ）を実行すること、すなわち、部分駆動方式を用いて、時刻表示１０：０６（第２の画像に対応）を白色で表示部３に表示させることである。そのため、図１０（Ｄ）のように、表示部３の全体が白色で表示される。
【０１０９】
そして、図１０（Ｅ）〜図１０（Ｈ）のように全面駆動方式で、設定画面（第３の画像に対応）の表示や単一色画像の表示がされる。図１０（Ｅ）〜図１０（Ｈ）は、それぞれ図７（Ａ）〜図７（Ｄ）に対応する。
【０１１０】
全面駆動方式へと切り換える前には、図１０（Ａ）〜図１０（Ｄ）のように工程（ａ）〜（ｃ）および工程（ｆ１）すなわち工程（ｄ）が実行されている。そこで、表示制御回路６０は、全面駆動方式から部分駆動方式へと復帰したとき（図１０（Ｉ））に、工程（ａ）から実行すればよい。図１０（Ｉ）〜図１０（Ｌ）では、それぞれ工程（ａ）〜工程（ｄ）が実行されている。
【０１１１】
ここで、グループｇｒ３として示されている全面駆動方式を用いた４つの工程（図１０（Ｅ）〜図１０（Ｈ）ではＤＣバランスがとられている。また、グループｇｒ１として示されている、設定画面を表示部３に表示する前の部分駆動方式を用いた４つの工程（図１０（Ａ）〜図１０（Ｄ））でもＤＣバランスがとられている。そして、グループｇｒ２として示されている、設定画面を表示部３に表示した後の部分駆動方式を用いた４つの工程（図１０（Ｉ）〜図１０（Ｌ））でもＤＣバランスがとられている。
【０１１２】
よって、工程（ｃ）の期間にユーザーがボタン操作を行って、設定画面の表示が要求された場合に、表示制御回路６０は図１０（Ａ）〜図１０（Ｌ）のように表示することで、電気泳動表示装置１０の操作性低下を軽減する全面駆動方式で設定画面の表示をしつつ、ＤＣバランスもとることができる。
【０１１３】
なお、工程（ｂ）または工程（ｄ）の期間でユーザーがボタン操作を行った場合には、工程（ｅ１）（図８（Ｂ）、図９（Ｂ））、工程（ｆ１）（図１０（Ｄ））を改めて実行する必要はない。すなわち、工程（ｂ）または工程（ｄ）から直接工程（ｅ２）へ移行してよい。ただし、この例のような時刻表示を行う場合には、約１分間表示がされている工程（ａ）または工程（ｃ）の期間で、ユーザーがボタン操作を行う可能性が高い。
【０１１４】
１．５．フローチャート
本実施形態の電気泳動表示装置の表示制御回路６０が行う制御処理をまとめると図１１、図１２のフローチャートのようになる。図１１のフローチャートは、図８（Ａ）〜図８（Ｌ）および図１０（Ａ）〜図１０（Ｌ）の表示に対応する。また、図１２のフローチャートは、図９（Ａ）〜図９（Ｋ）および図１０（Ａ）〜図１０（Ｌ）の表示に対応する。表示制御回路６０は、図１１または図１２のいずれかのフローチャートに従う処理を実行すればよい。これらの処理の選択は固定的であってもよいが、例えばユーザーがレジスター設定により一方の処理を選択できるようにしてもよい。なお、図１１、図１２のフローチャートの描画に関する工程において、「全面駆動方式で」との説明がないものは部分駆動方式で行うものとする。
【０１１５】
まず、表示制御回路６０は、部分駆動方式で第１の画像を黒色で表示部３に表示させる工程（ａ）を実行する（Ｓ１０）。工程（ａ）の期間にユーザーからのボタン操作（操作部への指示入力）があったか否かを判定し（Ｓ２０）し、ボタン操作がない場合には（Ｓ２０Ｎ）、部分駆動方式で第１の画像の背景を黒色で表示部３に表示させる工程（ｂ）を実行する（Ｓ３０）。工程（ｂ）の期間にユーザーからのボタン操作があったか否かを判定し（Ｓ４０）し、ボタン操作がない場合には（Ｓ４０Ｎ）、部分駆動方式で第２の画像の背景を白色で表示部３に表示させる工程（ｃ）を実行する（Ｓ５０）。工程（ｃ）の期間にユーザーからのボタン操作があったか否かを判定し（Ｓ６０）し、ボタン操作がない場合には（Ｓ６０Ｎ）、部分駆動方式で第２の画像を白色で表示部３に表示させる工程（ｄ）を実行する（Ｓ７０）。工程（ｄ）の期間にユーザーからのボタン操作があったか否かを判定し（Ｓ８０）し、ボタン操作がない場合には（Ｓ８０Ｎ）、表示を中止する終了指示があったか否かを判定し（Ｓ９０）し、終了指示があれば（Ｓ９０Ｙ）一連の処理を終了するが、そうでなければ（Ｓ９０Ｎ）、工程（ａ）であるＳ１０に戻る。つまり、ユーザーからのボタン操作や終了指示がない限り、工程（ａ）〜（ｄ）を順に繰り返す。
【０１１６】
工程（ａ）の期間にユーザーからのボタン操作がある場合には（Ｓ２０Ｙ）、表示制御回路６０は、直ちに部分駆動方式で第１の画像の背景を黒色で表示部３に表示させる工程（ｅ１）を実行する（Ｓ１１０）。工程（ｅ１）の内容は工程（ｂ）と同じであるが、ユーザーからのボタン操作後に直ちに実行される。
【０１１７】
その後、表示制御回路６０は、全面駆動方式で第３の画像を表示させる工程（ｅ２）を実行する（Ｓ１２０）。ここで、工程（ｂ）の期間にユーザーからのボタン操作がある場合にも（Ｓ４０Ｙ）、工程（ｅ２）を実行する。
【０１１８】
表示制御回路６０は、工程（ａ）の期間または工程（ｂ）の期間にユーザーからのボタン操作がある場合には、単一色画像の色を黒色に設定する（Ｓ１３０）。単一色画像は、部分駆動方式での描画に戻るときに、後述する工程（ｇ）で用いられる。単一色画像の色の設定は、例えば記憶部１６０（図１参照）にあるレジスターを用いて行ってもよい。
【０１１９】
その後、表示制御回路６０は全面駆動方式で第３の画像を反転表示させる第１の中間工程を実行する（Ｓ３１０）。また、全面駆動方式で、続く工程（ｇ）で表示する単一色画像を反転表示させる第２の中間工程を実行する（Ｓ３２０）。第１の中間工程、第２の中間工程は、全面駆動方式を用いた工程でＤＣバランスをとるために実行される。
【０１２０】
そして、表示制御回路６０は全面駆動方式で単一色画像を正転表示させる工程（ｇ）を実行する（Ｓ３３０）。工程（ｇ）は、全面駆動方式で第３の画像を表示する前に、部分駆動方式で表示部３に表示した最後の状態に戻す工程である。工程（ａ）の期間または工程（ｂ）の期間にユーザーからのボタン操作がある場合には、工程（ｇ）では黒色の単一色画像が表示される。なお、第２の中間工程では白色の単一色画像が表示されることになる。
【０１２１】
そして、工程（ｇ）の単一色画像の色が黒色であるか否かが判定され（Ｓ４００）、黒色である場合には（Ｓ４００Ｙ）、次に工程（ｃ）が実行される。
【０１２２】
また、工程（ｃ）の期間にユーザーからのボタン操作がある場合には（Ｓ６０Ｙ）、表示制御回路６０は、直ちに第２の画像を白色で表示部３に表示させる工程（ｆ１）を実行する（Ｓ２１０）。工程（ｆ１）の内容は工程（ｄ）と同じであるが、ユーザーからのボタン操作後に直ちに実行される。
【０１２３】
その後、表示制御回路６０は、全面駆動方式で第３の画像を表示させる工程（ｆ２）を実行する（Ｓ２２０）。ここで、工程（ｄ）の期間にユーザーからのボタン操作がある場合にも（Ｓ８０Ｙ）、工程（ｆ２）を実行する。
【０１２４】
表示制御回路６０は、工程（ｃ）の期間または工程（ｄ）の期間にユーザーからのボタン操作がある場合には、単一色画像の色を白色に設定する（Ｓ２３０）。その後、表示制御回路６０は前記の第１の中間工程、第２の中間工程を実行する（Ｓ３１０、Ｓ３２０）。
【０１２５】
そして、表示制御回路６０は全面駆動方式で単一色画像を正転表示させる工程（ｇ）を実行する（Ｓ３３０）。工程（ｃ）の期間または工程（ｄ）の期間にユーザーからのボタン操作がある場合には、工程（ｇ）では白色の単一色画像が表示される。なお、第２の中間工程では黒色の単一色画像が表示されることになる。
【０１２６】
そして、工程（ｇ）の単一色画像の色が黒色であるか否かが判定され（Ｓ４００）、白色である場合には（Ｓ４００Ｎ）、次に工程（ａ）が実行される。なお、工程（ａ）が実行される前に、終了指示の有無を判定してもよい（図外）。
【０１２７】
図１１のフローチャートは、図８（Ａ）〜図８（Ｌ）および図１０（Ａ）〜図１０（Ｌ）の表示に対応するが、単一色画像の色に応じて次に工程（ａ）を開始するか工程（ｃ）を開始するかの分岐判定（Ｓ４００）が必要であった。
【０１２８】
図１２のフローチャートは、図９（Ａ）〜図９（Ｋ）および図１０（Ａ）〜図１０（Ｌ）の表示に対応するものであり、図１１の分岐判定（Ｓ４００）が不要である。以下では、図１２のフローチャートを説明するが、図１１と同じ工程には同じ符号を付しており、図１１と異なる部分のみ説明する。
【０１２９】
表示制御回路６０は、工程（ｅ１）（Ｓ１１０）の後に、また、工程（ｂ）の期間にユーザーからのボタン操作がある場合（Ｓ４０Ｙ）に、まず、部分駆動方式で表示部３の全画素を白色で表示させてから（工程（ｅ２−１）、Ｓ１２０Ａ）、全面駆動方式で第３の画像を表示させる工程（ｅ２−２）を実行する（Ｓ１２０Ｂ）。すなわち、図１２においては、工程（ｅ２）は工程（ｅ２−１）および工程（ｅ２−２）を含む。
【０１３０】
工程（ｅ２−１）において、部分駆動方式で表示部の全画素を白色で表示させる。そのため、全面駆動方式で第３の画像を表示する前に、部分駆動方式で表示部３に表示した最後の状態は、全画素が白色であることに定まる。
【０１３１】
よって、工程（ｇ）で用いられる単一色画像の色は白色に固定され（Ｓ２３０）、図１１の分岐判定（Ｓ４００）が不要である。
【０１３２】
以上のような処理（図１１または図１２）により、電気泳動表示装置１０の操作性低下を軽減し、ＤＣバランスをとることが可能な電気泳動表示装置の駆動方法を実現できる。
【０１３３】
２．応用例
本発明の応用例について図１３〜図１４（Ｂ）を参照して説明する。なお、図１〜図１２と同じ要素については同一符号を付して説明を省略する。前記の電気泳動表示装置は、例えば時刻表示を行う電子時計などの電子機器に応用できる。
【０１３４】
２．１．電子機器のブロック図
図１３は応用例に係る電子機器１のブロック図である。電子機器１は、ＣＰＵ２、操作部６５、記憶部５、電気泳動表示装置１０を含む。電気泳動表示装置１０は、前記の電気泳動表示装置であって、様々な画像を表示する表示部３を含む。
【０１３５】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１３６】
操作部６５は、例えば電子機器１のユーザーからの指示を受け取り、指示に応じた信号を他のブロックに出力してもよい。
【０１３７】
記憶部５は、例えばＤＲＡＭやＳＲＡＭなどのメモリーであってもよいし、ＲＯＭ(Read Only Memory)を含んでいてもよい。ＣＰＵ２が使用するプログラムは、例えば記憶部５が含むＲＯＭに書かれていてもよい。
【０１３８】
表示部３は、電気泳動表示装置１０の一部であって、例えば時刻を表示したり、文字、写真などを表示したりしてもよい。
【０１３９】
電子機器１は、前記の電気泳動表示装置１０を含むことで、電気泳動表示装置１０の操作性低下を軽減し、ＤＣバランスをとることが可能になる。そのため、長期的信頼性に優れ、使い勝手のよい電子機器１を実現できる。
【０１４０】
２．２．電子機器の具体例
図１４（Ａ）〜図１４（Ｂ）に、電子機器の具体例を示す。図１４（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面には、電気泳動表示装置１０の表示部３（図１３参照）である表示部１００４が設けられ、時刻表示１００５を行っている。時計ケース１００２の側面には、２つの操作ボタン１０１１と１０１２とが設けられ、操作部６５（図１３参照）として機能する。
【０１４１】
また、図１４（Ｂ）は電子機器の１つである電子ペーパー１１００の斜視図である。電子ペーパー１１００は可撓性を有し、電気泳動表示装置１０の表示部３（図１３参照）である表示領域１１０１と、本体１１０２とを備えている。
【０１４２】
前記の電気泳動表示装置は、これらの具体例を含む、様々な電子機器に適用できる。そして、そのような電子機器は、ＤＣバランスが取れていることで表示部の長期信頼性を確保できる。また、電気泳動表示装置１０の操作性低下を軽減するため、使い勝手がよい電子機器となる。
【０１４３】
３．その他
前記の実施形態においては、電気泳動表示装置は、黒粒子および白粒子による白黒二粒子系の電気泳動が行われるものに限られず、青白等の一粒子系の電気泳動を行っても良く、また、白黒以外の組み合わせでも構わない。
【０１４４】
そして、電気泳動表示装置に限らず、メモリー性の表示手段に前記の駆動方法が適用されてもよい。例えば、ＥＣＤ（Electrochromic Display＝エレクトロクロミックディスプレイ）、強誘電性液晶ディスプレイ、コレステリック液晶ディスプレイ等である。
【０１４５】
さらに、前記の応用例の電子時計は、腕時計に限らず、置き時計、掛け時計、懐中時計などの時計機能を有する機器に広く適用できる。
【０１４６】
また、ＤＣバランスの多少の偏りを許容することで、更に操作性を高めることができる。例えば、図１１、図１２で第１の中間工程、第２の中間工程を省略してもよい。第３の画像（例えば設定画面）は、通常表示される第１の画像、第２の画像（例えば時刻表示）に比べて表示される頻度が少ない。そのため、第１の中間工程、第２の中間工程を省略しても電気泳動表示装置のライフサイクル全体において大きくＤＣバランスが崩れることはなく、更に操作性を高めることができる。
【０１４７】
また、図１１のフローチャートで分岐判定（Ｓ４００）を省略して、一律的に工程（ａ）に戻るようにしてもよい。前記のように、第３の画像の表示が要求される頻度は少ないため、ＤＣバランスの多少の偏りを許容することで、表示制御回路６０の処理の負担を軽減することができる。
【０１４８】
これらの例示に限らず、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１４９】
１  電子機器、２  ＣＰＵ、３  表示部、５  記憶部、１０  電気泳動表示装置、１３  駆動画素、３５  画素電極、３５Ａ  画素電極、３５Ｂ  画素電極、３７  共通電極、４０  画素、４０Ａ  画素、４０Ｂ  画素、４８  駆動用ＴＦＴ、４９  低電位電源線（Ｖｓｓ）、５０  高電位電源線（Ｖｄｄ）、５５  共通電極配線（Ｖｃｏｍ）、６０  表示制御回路、６１  走査線駆動回路、６２  データ線駆動回路、６３  コントローラー、６４  共通電源変調回路、６５  操作部、６６  走査線、６８  データ線、７０  ラッチ回路、７０ｆ  帰還インバーター、７０ｔ  転送インバーター、８０  スイッチ回路、９１  第１のパルス信号線（Ｓ１）、９２  第２のパルス信号線（Ｓ２）、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１  操作ボタン、１１００  電子ペーパー、１１０１  表示領域、１１０２  本体
【図１】
2014191213.tif 000003
【図２】
2014191213.tif 000004
【図３】
2014191213.tif 000005
【図４】
2014191213.tif 000006
【図６】
2014191213.tif 000007
【図７】
2014191213.tif 000008
【図１１】
2014191213.tif 000009
【図１２】
2014191213.tif 000010
【図１３】
2014191213.tif 000011
【図１４】
2014191213.tif 000012
【図５】
2014191213.tif 000013
【図８】
2014191213.tif 000014
【図９】
2014191213.tif 000015
【図１０】
2014191213.tif 000016